【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
前記始動口への入球に基づいて取得した取得情報を、保留として複数記憶可能な取得情報保留記憶手段と、
前記取得情報に基づいて判定を実行する判定実行手段と、
所定の変動開始条件が成立すると、前記判定実行手段の判定結果に基づいて識別情報を変動表示する識別情報表示手段と、
前記所定の変動開始条件が成立する前に、前記取得情報に基づいて事前判定を実行する事前判定実行手段と、
前記事前判定実行手段の事前判定結果に基づいて、特定の取得情報に係る識別情報の変動表示の内容を報知する連続事前演出を、連続する複数の識別情報の変動表示に亘って実行可能な連続事前演出実行手段と、
前記連続事前演出の実行を制限する連続事前演出制限手段と、
を備え、
前記連続する複数の識別情報の変動表示は、前記特定の取得情報に係る識別情報の変動表示及び前記特定の取得情報に係る識別情報の変動表示より前の識別情報の変動表示で構成され、
前記事前判定実行手段が前記連続事前演出を実行すると決定した場合、前記取得情報保留記憶手段に記憶されている取得情報の数に基づいて、前記連続事前演出を実行する識別情報の変動表示を決定し、
前記連続事前演出制限手段は、前記連続事前演出を実行することが決定された取得情報について、新たな連続事前演出の実行の決定を制限する
ことを特徴とする遊技機。
【請求項２】
前記連続事前演出制限手段は、前記事前判定実行手段が前記連続事前演出を実行すると決定した場合、決定した前記連続事前演出の実行が終了するまで、新たな連続事前演出の実行の決定を制限することを特徴とする請求項１に記載の遊技機。
【請求項３】
前記連続事前演出制限手段は、
前記連続事前演出を実行することが決定された取得情報について、新たな連続事前演出の実行の決定を制限する場合と、前記連続事前演出を実行することが決定された取得情報及び前記連続事前演出を実行することが決定された取得情報の次に変動表示を行う取得情報について、新たな連続事前演出の実行の決定を制限する場合とがあることを特徴とする請求項１又は請求項２に記載の遊技機。
【請求項４】
前記連続事前演出が実行される識別情報の変動表示の回数に基づいて、特定演出の発生を報知するものとされ、
前記連続事前演出制限手段は、
前記特定の取得情報に係る識別情報の変動表示において前記特定演出が実行される場合、  前記連続事前演出を実行することが決定された取得情報について、新たな連続事前演出の実行の決定を制限し、
前記特定の取得情報に係る識別情報の変動表示において前記特定演出が実行されない場合、前記連続事前演出を実行することが決定された取得情報及び前記連続事前演出を実行することが決定された取得情報の次に変動表示を行う取得情報について、新たな連続事前演出の実行の決定を制限することを特徴とする請求項１乃至請求項３の何れか一項に記載の遊技機。
【請求項５】
前記連続事前演出制限手段は、
前記連続事前演出が前記所定回数未満の識別情報の変動表示で実行される場合であって、前記特定の取得情報に係る識別情報の変動表示において前記特定演出が実行される場合、  前記連続事前演出を実行することが決定された取得情報について、新たな連続事前演出の実行の決定を制限し、
前記連続事前演出が前記所定回数未満の識別情報の変動表示で実行される場合であって、前記特定の取得情報に係る識別情報の変動表示において前記特定演出が実行されない場合、前記連続事前演出を実行することが決定された取得情報及び前記連続事前演出を実行することが決定された取得情報の次に変動表示を行う取得情報について、新たな連続事前演出の実行の決定を制限することを特徴とする請求項４に記載の遊技機。
【請求項６】
前記識別情報表示手段で変動表示する識別情報は、３個の識別情報からなり、
前記識別情報の変動表示の演出態様として、前記３個の識別情報のうち、２個の識別情報を同じ識別情報とし、且つ、１個の識別情報を変動表示するリーチ演出態様を有し、
前記特定演出は、前記リーチ演出態様であることを特徴とする請求項４又は請求項５に記載の遊技機。
【請求項７】
前記連続事前演出制限手段が、所定の識別情報の変動表示において、前記連続事前演出の実行を制限した場合、
当該所定の識別情報の変動表示の次の識別情報の変動表示において、前記連続事前演出の実行を制限しないことを特徴とする請求項１乃至請求項６の何れか一項に記載の遊技機。
【請求項８】
前記連続事前演出の決定を制限する期間を設定するための事前演出制限カウンタを備え、
前記事前演出制限カウンタに所定の値が設定される場合、当該設定された値を、識別情報の変動表示を実行するごとに減算処理又は加算処理（演算処理）することで、前記事前演出制限カウンタに設定した値に相当する回数の識別情報の変動表示が終了するまで新たな連続事前演出の決定を制限するものとされ、
前記連続事前演出制限手段は、
特定の取得情報に係る識別情報の変動表示において特定演出が実行されない場合には、前記事前演出制限カウンタに、前記取得情報保留記憶手段に保留として記憶される取得情報の数に１を加算した値を設定し、
特定の取得情報に係る識別情報の変動表示において特定演出を実行する場合には、前記事前演出制限カウンタに、前記取得情報保留記憶手段に保留として記憶される取得情報の数に相当する値を設定することを特徴とする請求項１乃至請求項７の何れか一項に記載の遊技機。
【手続補正２】
【補正対象書類名】明細書
【補正対象項目名】０００９
【補正方法】変更
【補正の内容】
【０００９】
これにより、連続事前演出を実行すると決定した際に保留記憶されている取得情報の数に基づいて連続事前演出を実行する対象の識別情報の変動表示を決定し、当該決定した識別情報の変動表示については、新たな連続事前演出の実行の決定を制限することが可能となる。またこれにより、連続事前演出の実行回数を明確化し、遊技興趣を高めることが可能となる。尚、「保留として記憶可能」とは、変動開始条件の成立していない取得情報を記憶可能であることを意味する。
（１）また、第２発明の遊技機は、第１発明の遊技機において、
前記連続事前演出制限手段は、前記事前判定実行手段が前記連続事前演出を実行すると決定した場合、決定した前記連続事前演出の実行が終了するまで、新たな連続事前演出の実行の決定を制限することを特徴とするものである。
このような遊技機によれば、連続事前演出制限手段は、実行すると決定した連続事前演出が終了するまで、新たな連続事前演出の実行を制限する。これにより、前の連続事前演出と後の連続事前演出との区切りを明確にすることが可能となる。またこれにより、連続事前演出の実行回数を明確化し、遊技興趣を高めることが可能となる。
（２）また、第３発明の遊技機は、第１発明又は第２発明の遊技機において、
前記連続事前演出制限手段は、
前記連続事前演出を実行することが決定された取得情報について、新たな連続事前演出の実行の決定を制限する場合と、前記連続事前演出を実行することが決定された取得情報及び前記連続事前演出を実行することが決定された取得情報の次に変動表示を行う取得情報について、新たな連続事前演出の実行の決定を制限する場合とがあることを特徴とするものである。
このような遊技機によれば、連続事前演出制限手段は、連続事前演出を実行することが決定された取得情報について新たな連続事前演出の実行の決定を制限する場合と、連続事前演出を実行することが決定された取得情報及びその次に変動表示を行う取得情報について、新たな連続事前演出の実行の決定を制限する場合とがある。すなわち、連続事前演出を実行することが決定された取得情報の次の取得情報について、連続事前演出の実行を可能にする（制限しない）場合と、連続事前演出の実行を制限する（禁止する）場合と、を有している。これにより、連続事前演出を行う識別情報の変動表示の状況等に応じて、前後の連続事前演出の間に区切りとなる変動表示を設定することが可能となる。またこれにより、連続事前演出の実行回数を明確化し、遊技興趣を高めることが可能となる。
（３）また、第４発明の遊技機は、第１発明乃至第３発明の遊技機において、
前記連続事前演出が実行される識別情報の変動表示の回数に基づいて、特定演出の発生を報知するものとされ、
前記連続事前演出制限手段は、
前記特定の取得情報に係る識別情報の変動表示において前記特定演出が実行される場合、  前記連続事前演出を実行することが決定された取得情報について、新たな連続事前演出の実行の決定を制限し、
前記特定の取得情報に係る識別情報の変動表示において前記特定演出が実行されない場合、前記連続事前演出を実行することが決定された取得情報及び前記連続事前演出を実行することが決定された取得情報の次に変動表示を行う取得情報について、新たな連続事前演出の実行の決定を制限することを特徴とするものである。
このような遊技機によれば、連続事前演出が実行される識別情報の変動表示の回数（連続事前演出の実行回数）に基づいて、特定演出の発生を報知するものとされる。そして、特定の取得情報に係る識別情報の変動表示において特定演出が実行される場合は連続事前演出を実行することが決定された取得情報について、新たな連続事前演出の実行の決定を制限する。すなわち、連続事前演出を実行することが決定された取得情報の次に変動表示を行う取得情報については、連続事前演出の実行を決定することを可能とする。一方、特定の取得情報に係る識別情報の変動表示において特定演出が実行されない場合は連続事前演出を実行することが決定された取得情報及び当該取得情報の次に変動表示を行う取得情報について、新たな連続事前演出の実行の決定を制限する。すなわち、連続事前演出を実行することが決定された取得情報に加えて、その次に変動表示を行う取得情報についても、連続事前演出の実行を決定することを制限する。
これにより、特定の取得情報に係る識別情報の変動表示において特定演出が実行されない場合には、その次に実行される識別情報の変動表示において連続事前演出の実行を制限し、遊技者が、前の連続事前演出と後の連続事前演出とを混同するのを防止することが可能となる。また、特定の取得情報に係る識別情報の変動表示において特定演出が実行される場合には、その次に実行される識別情報の変動表示において連続事前演出の実行を可能とすることで、連続事前演出の実行可能性を極力高めることが可能となる。
（４）また、第５発明の遊技機は、第４発明の遊技機において、
前記連続事前演出制限手段は、
前記連続事前演出が前記所定回数未満の識別情報の変動表示で実行される場合であって、前記特定の取得情報に係る識別情報の変動表示において前記特定演出が実行される場合、  前記連続事前演出を実行することが決定された取得情報について、新たな連続事前演出の実行の決定を制限し、
前記連続事前演出が前記所定回数未満の識別情報の変動表示で実行される場合であって、前記特定の取得情報に係る識別情報の変動表示において前記特定演出が実行されない場合、前記連続事前演出を実行することが決定された取得情報及び前記連続事前演出を実行することが決定された取得情報の次に変動表示を行う取得情報について、新たな連続事前演出の実行の決定を制限することを特徴とするものである。
このような遊技機によれば、連続事前演出が実行される識別情報の変動表示の回数（連続事前演出の実行回数）に基づいて、特定演出の発生を報知するものとされる。そして、連続事前演出の実行回数が所定回数未満の場合であって、且つ、特定の取得情報に係る識別情報の変動表示において特定演出が実行される場合は、既に連続事前演出を実行することが決定された取得情報についてだけ、新たな連続事前演出の実行の決定を制限する。すなわち、連続事前演出を実行することが決定された取得情報の次に変動表示を行う取得情報については、連続事前演出の実行を決定することを可能とする。一方、連続事前演出の実行回数が所定回数未満の場合であって、且つ、特定の取得情報に係る識別情報の変動表示において特定演出が実行されない場合は、既に連続事前演出を実行することが決定された取得情報及び当該取得情報の次に変動表示を行う取得情報について、新たな連続事前演出の実行の決定を制限する。すなわち、連続事前演出を実行することが決定された取得情報に加えて、その次に変動表示を行う取得情報についても、連続事前演出の実行を決定することを制限する。
これにより、連続事前演出の実行回数が所定回数未満の場合であって、且つ、特定の取得情報に係る識別情報の変動表示において特定演出が実行されない場合には、その次に実行される識別情報の変動表示において連続事前演出の実行を制限し、遊技者が、前の連続事前演出と後の連続事前演出とを混同する（連続事前演出の実行回数が所定回数以上となったと誤認する）のを防止することが可能となる。また、特定の取得情報に係る識別情報の変動表示において特定演出が実行される場合には、その次に実行される識別情報の変動表示において連続事前演出の実行を可能とする。またこれにより、前の連続事前演出と後の連続事前演出とを混同することなく、連続事前演出の実行可能性を極力高めることが可能となる。
（５）また、第６発明の遊技機は、第４発明又は第５発明の遊技機において、
前記識別情報表示手段で変動表示する識別情報は、３個の識別情報からなり、
前記識別情報の変動表示の演出態様として、前記３個の識別情報のうち、２個の識別情報を同じ識別情報とし、且つ、１個の識別情報を変動表示するリーチ演出態様を有し、
前記特定演出は、前記リーチ演出態様であることを特徴とするものである。
このような遊技機によれば、識別情報は３個の識別情報からなり、識別情報の変動表示の演出態様として、３個の識別情報のうち、２個の識別情報を同じ識別情報とし、且つ、１個の識別情報を変動表示するリーチ演出態様を有し、特定演出を当該リーチ演出態様とする。これにより、連続事前演出の実行回数によってリーチ演出態様の発生を報知することが可能となり、遊技者は、連続事前演出の発生に期待し、連続事前演出の発生によって遊技興趣を高めることが可能となる。また、連続事前演出の実行を適切に制限することで、前の連続事前演出と後の連続事前演出とを明確に区別可能とすると共に、連続事前演出の実行可能性を適切に高め、遊技興趣を向上することが可能となる。
（６）また、第７発明の遊技機は、第１発明乃至第６発明の遊技機において、
前記連続事前演出制限手段が、所定の識別情報の変動表示において、前記連続事前演出の実行を制限した場合、
当該所定の識別情報の変動表示の次の識別情報の変動表示において、前記連続事前演出の実行を制限しないことを特徴とするものである。
このような遊技機によれば、連続事前演出制限手段が、所定の識別情報の変動表示において連続事前演出の実行を制限した場合には、その次の識別情報の変動表示においては連続事前演出の実行を制限しないものとする。これにより、連続事前演出の実行を制限する期間を適切に制御し、前の連続事前演出と後の連続事前演出とを明確に区別可能とすると共に、連続事前演出の実行可能性を適切に高め、遊技興趣を向上することが可能となる。また、特定の識別情報の変動表示は、連続事前演出が実行される複数の連続する識別情報の変動表示における最後の識別情報の変動表示とされる。
（７）また、第８発明の遊技機は、第１発明乃至第７発明の遊技機において、
前記連続事前演出の決定を制限する期間を設定するための事前演出制限カウンタを備え、
前記事前演出制限カウンタに所定の値が設定される場合、当該設定された値を、識別情報の変動表示を実行するごとに減算処理又は加算処理（演算処理）することで、前記事前演出制限カウンタに設定した値に相当する回数の識別情報の変動表示が終了するまで新たな連続事前演出の決定を制限するものとされ、
前記連続事前演出制限手段は、
特定の取得情報に係る識別情報の変動表示において特定演出が実行されない場合には、前記事前演出制限カウンタに、前記取得情報保留記憶手段に保留として記憶される取得情報の数に１を加算した値を設定し、
特定の取得情報に係る識別情報の変動表示において特定演出を実行する場合には、前記事前演出制限カウンタに、前記取得情報保留記憶手段に保留として記憶される取得情報の数に相当する値を設定することを特徴とするものである。
このような遊技機によれば、連続事前演出の決定を制限する期間を設定するための事前演出制限カウンタを備えるものとし、事前演出制限カウンタに所定の値が設定された場合には、当該設定された値に相当する回数の識別情報の変動表示が終了するまで、連続事前演出（新たな連続事前演出）の決定を制限するものとする。また、連続事前演出制限手段は、連続事前演出の実行を決定した場合であって、特定の取得情報に係る識別情報の変動表示において特定演出が実行されない場合には、事前演出制限カウンタに、取得情報保留記憶手段に記憶される取得情報の数（保留数）に１を加算した値を設定し、特定の取得情報に係る識別情報の変動表示において特定演出を実行する場合には、事前演出制限カウンタに、取得情報保留記憶手段に記憶される取得情報の数（保留数）に相当する値を設定する。
これにより、連続事前演出の実行の決定に伴って、事前演出制限カウンタに所定の値を設定するだけで、連続事前演出の決定を制限する期間を適切に設定することが可能となる。またこれにより、特定の取得情報に係る識別情報の変動表示において特定演出が実行されない場合は、次の変動表示において連続事前演出の実行を制限し、特定の取得情報に係る識別情報の変動表示において特定演出を実行する場合は、次の変動表示において連続事前演出の実行を可能とする。またこれにより、連続事前演出の実行を制限する期間を適切に制御し、前の連続事前演出と後の連続事前演出とを明確に区別可能とすると共に、連続事前演出の実行可能性を適切に高め、遊技興趣を向上することが可能となる。
ここで、「連続事前演出の決定を制限する期間」は、識別情報の変動表示の実行回数によって定められている。また、連続事前演出の決定が制限されない期間においては、事前演出制限カウンタの値は「０」（特定値）とされており、連続事前演出の決定が制限される期間は、事前演出制限カウンタに「０」以外の値が設定されるものとすることができる。また、事前演出制限カウンタに「０」以外の値が設定される場合には、識別情報の変動表示が開始する毎に、事前演出制限カウンタの値が減算され、事前演出制限カウンタの値が「０」となった後に、連続事前演出の決定を制限する期間（制限期間）を終了するものとしてもよい。また、事前演出制限カウンタの値が「０」となった次の識別情報の変動表示から、（新たな）連続事前演出の決定（実行）が可能となる。